(57)【要約】【課題】  より容易に着脱することができ、かつより強固に装着することができるグリップカバーを備えた手持ち工具を得る。【解決手段】  取り付けた先端工具を動作させる駆動機構を含む本体部２と、掴持するためのグリップ部３とが、略Ｔ字状または略Ｌ字状に設けられ、該グリップ部３の表面に着脱可能なグリップカバー５を備えた手持ち工具において、グリップカバー５を弾性的に拡張させた状態でグリップ部３の表面に装着するようにした。【選択図】      図１
2007030083.tif 000002
【特許請求の範囲】
【請求項１】
取り付けた先端工具を動作させる駆動機構を含む本体部と、掴持するためのグリップ部とが、略Ｔ字状または略Ｌ字状に設けられ、該グリップ部の表面に着脱可能なグリップカバーを備えた手持ち工具において、
前記グリップカバーを弾性的に拡張させた状態でグリップ部の表面に装着するようにしたことを特徴とする手持ち工具。
【請求項２】
前記グリップ部に、前記グリップカバーを所定の装着位置に案内するガイド部を設けたことを特徴とする請求項１に記載の手持ち工具。
【発明の詳細な説明】
【技術分野】
【０００１】
本発明は、ドリルドライバやインパクトレンチ等の手持ち工具に関する。
【背景技術】
【０００２】
従来より、取り付けた先端工具を動作させる駆動機構を含む本体部と、掴持するためのグリップ部とが、略Ｔ字状または略Ｌ字状に設けられてなる手持ち工具において、グリップ部の表面にグリップカバーを着脱可能に装着したものが知られている（例えば特許文献１）。
【０００３】
この特許文献１に開示される手持ち工具によれば、作業者に応じたハンドル形状とすることができて、使いやすいという利点がある。
【特許文献１】特開２００１−３１０２７３号公報
【発明の開示】
【発明が解決しようとする課題】
【０００４】
しかしながら、特許文献１の手持ち工具では、多数の突起と凹部とを嵌合させることでグリップ部にグリップカバーを装着する構造となっているため、これら突起と凹部との全てを確実に嵌合させるのに手間がかかるという問題があった。
【０００５】
また、グリップカバーがグリップから脱落すると使いにくくなるので、かかるグリップカバーは、より一層強固に保持されることが望まれている。
【０００６】
そこで、本発明は、より容易に着脱することができ、かつより強固に装着することができるグリップカバーを備えた手持ち工具を得ることを目的とする。
【課題を解決するための手段】
【０００７】
請求項１の発明にあっては、取り付けた先端工具を動作させる駆動機構を含む本体部と、掴持するためのグリップ部とが、略Ｔ字状または略Ｌ字状に設けられ、該グリップ部の表面に着脱可能なグリップカバーを備えた手持ち工具において、前記グリップカバーを弾性的に拡張させた状態でグリップ部の表面に装着するようにしたことを特徴とする。
【０００８】
請求項２の発明にあっては、前記グリップ部に、前記グリップカバーを所定の装着位置に案内するガイド部を設けたことを特徴とする。
【発明の効果】
【０００９】
請求項１の発明によれば、グリップカバーをグリップ部により容易に装着することができる上、グリップカバーが縮小しようとする弾性的な復元力を当該グリップカバーの保持力として利用することができる分、グリップカバーをグリップ部により強固に保持させることができる。
【００１０】
請求項２の発明によれば、グリップカバーをグリップ部に装着する作業をより円滑に行うことができる上、より確実に所期の装着状態を得ることができる。
【発明を実施するための最良の形態】
【００１１】
以下、本発明の実施形態について図面を参照しながら詳細に説明する。
【００１２】
（第１実施形態）図１は、本実施形態にかかる手持ち工具の分解斜視図、図２は、手持ち工具の背面図（ａ）およびグリップカバーの正面図（ｂ）である。なお、以下では、便宜上、本体部の先端工具を取り付ける側を前側、その他端側を後側とし、グリップ部の先端側を下側、その他端側（本体部側）を上側と定義する。
【００１３】
本実施形態にかかる手持ち工具１は、取り付けた先端工具（図示せず）を回動あるいは往復動させるための駆動機構（例えばモータ等）や、駆動機構による動作を減速させる減速機構（例えばギヤボックス等）などを内包する本体部２と、掴持するためのグリップ部３と、を略Ｔ字状に設けたものである。本体部２およびグリップ部３のカバーは、側面視で略Ｔ字状に形成されたほぼ勝手違いの二つのカバー体同士を接合して構成される。なお、グリップ部３の下端部（先端部）には、電源としての電池パック４が着脱可能に取り付けられる。
【００１４】
この手持ち工具１は、グリップ部３の表面の一部に、グリップカバー５を着脱できるように構成されている。本実施形態では、グリップ部３の後部（先端工具が装着される側の他端側の部分）から、本体部２の後部かつ下部（グリップ部３側の部分）にかけての側面視で略Ｌ字状の領域３ａを覆うように、当該グリップ部３の表面形状に沿って湾曲しかつ側面視で略Ｌ字状に形成されたグリップカバー５が着脱可能に装着される。
【００１５】
グリップ部３の側面には、係合凹部６が形成される一方、グリップカバー５には、これに係合する係合突起７が形成されており、これら係合凹部６および係合突起７が係合することで、グリップカバー５がグリップ部３の領域３ａを覆うように装着（係着）されるようになっている。
【００１６】
具体的には、係合凹部６は、グリップカバー５によって被覆される領域３ａの境界に形成された段差の側壁で後側（先端工具が装着される側の反対側）に向けて開口しており、グリップカバー５の端縁から前側（先端工具側）に向けて伸びる係合突起７が嵌挿される。
【００１７】
また、領域３ａの表面には、ネジ孔（雌ネジ孔）８が形成される一方、グリップカバー５の内面には、当該ネジ孔８に対応する略円筒状のボス部９が形成されており、ボス部９の貫通孔を挿通させたネジをネジ孔８に螺結することで、グリップカバー５をグリップ部３に固定できるようになっている。
【００１８】
さらに、本実施形態では、このグリップカバー５を、樹脂やゴム等を含んで弾性を有する弾性体として構成し、これを弾性的に拡張させた状態で、グリップ部３の表面の所定位置に装着できるようにしている。
【００１９】
すなわち、グリップカバー５の少なくとも一部の寸法を、当該寸法に対応するグリップ部３の寸法より小さくしておき、グリップカバー５を拡張させながらグリップ部３に取り付け、装着した状態でグリップカバー５に弾性的な復元力（張力）を生じさせるようにしている。
【００２０】
具体的には、例えば、図２に示すように、背面視（正面視）におけるグリップカバー５の所定位置における端縁間の寸法（離間距離）Ｄ２を、グリップ部３の対応する寸法（幅）Ｄ１より小さくしておき、寸法Ｄ２を寸法Ｄ１と同じかあるいはより大きくなるまで、グリップカバー５の端縁同士の間隔を拡げながら、グリップ部３に覆い被せ、係合突起７を係合凹部６に嵌挿して係着する。
【００２１】
かかる構成により、引き延ばされたことによってグリップカバー５に生じる弾性的な復元力（張力）が、グリップカバー５がグリップ部３に被着する保持力として作用することになる。
【００２２】
以上の本実施形態によれば、グリップカバー５を弾性的に拡張させた状態でグリップ部３の表面に装着するようにしたため、グリップカバー５をグリップ部３により容易に装着することができる上、グリップカバー５が縮小しようとする弾性的な復元力を当該グリップカバー５の保持力として利用することができる分、グリップカバー５をグリップ部３により強固に保持させることができる。
【００２３】
（第２実施形態）図３は、本実施形態にかかる手持ち工具の分解斜視図、図４は、手持ち工具の側面図（ａ）および背面図（ｂ）である。なお、本実施形態にかかる手持ち工具は、上記第１実施形態にかかる手持ち工具と同様の構成要素を備えている。よって、対応する構成要素については共通の符号を付すとともに、重複する説明を省略する。また、本実施形態でも、便宜上、本体部の先端工具を取り付ける側を前側、その他端側を後側とし、グリップ部の先端側を下側、その他端側（本体部側）を上側と定義する。
【００２４】
本実施形態にかかる手持ち工具１Ａは、グリップ部３に、グリップカバー５を所定の装着位置に案内するガイド部を設けたものである。
【００２５】
具体的には、ガイド部として、本体部２の下部の当該本体部２の中心線を挟んで両側面に、当該本体部２の長手方向（前後方向）に沿う一対のガイド溝１３を設ける一方、グリップカバー５Ａには、本体部２を覆う部分の内面から内側に向けて相互に対向するように張り出す一対のリブ１２を設け、リブ１２をガイド溝１３内に挿入して当該ガイド溝１３に沿って移動させながら、グリップカバー５をグリップ部３の装着位置まで移動できるようにしている。
【００２６】
なお、本実施形態では、上記第１実施形態で設けたネジ孔８に対応するボス部９に替えて、ネジ孔形成部１０に対応する凹部１１を設けている。
【００２７】
以上の本実施形態によれば、ガイド部として、ガイド溝１３を設けるとともに、これに対応するリブ１２を設けたため、グリップカバー５をグリップ部３に装着する作業をより円滑に行うことができる上、より確実に所期の装着位置までグリップカバー５を導いて所期の装着状態を得ることができる。
【００２８】
以上、本発明の好適な実施形態について開示したが、本発明は上記実施形態には限定されず、種々の変形が可能である。
【００２９】
例えば、グリップカバーは、単一の素材で構成するのではなく、複数の素材、例えば、比較的硬質の素材（金属や樹脂等）からなる成形物と比較的軟質のエラストマー等とを多重化する等して構成してもよい。
【００３０】
また、ネジによる固定は、必ずしも必要ではなく、係合機構による係着のみで固定するようにしてもよい。また、係合部に適宜爪等を設けてもよい。
【００３１】
また、グリップカバーや、グリップ部、係合機構、ガイド部、手持ち工具等の形状や、大きさ、配置等も、上記実施形態には限定されず、種々の変形が可能である。
【図面の簡単な説明】
【００３２】
【図１】本発明の第１実施形態にかかる手持ち工具の分解斜視図。
【図２】本発明の第１実施形態にかかる手持ち工具の背面図（ａ）およびグリップカバーの正面図（ｂ）。
【図３】本発明の第２実施形態にかかる手持ち工具の分解斜視図。
【図４】本発明の第２実施形態にかかる手持ち工具の側面図（ａ）および背面図（ｂ）。
【符号の説明】
【００３３】
１，１Ａ  手持ち工具
２  本体部
３  グリップ部
５，５Ａ  グリップカバー
１３  ガイド溝（ガイド部）
【図１】
2007030083.tif 000003
【図２】
2007030083.tif 000004
【図３】
2007030083.tif 000005
【図４】
2007030083.tif 000006